(57)【特許請求の範囲】
【請求項１】
地面に固定され、送水パイプと連通される外筒２と、該外筒２に摺動自在に嵌装された内筒３からなり、送水パイプから圧力が掛かることにより内筒３が所定高さまで上昇し、該内筒３の上端に配設されたノズル１１により散水を行うスプリンクラー１において、該スプリンクラー１の高さ調節機構は、内筒３の上端に配設された上部ステー１３と、該上部ステー１３より内筒３の摺動方向下方に突設され調節ロッド１４と、前記外筒２の外周面に配設された外筒側掛止部により構成され、前記調節ロッド１４の下方が、前記外筒側掛止部の掛止孔２１に摺動可能に貫装され、該調節ロッド１４の下端にロッド掛止部である掛止体１９を設け、前記外筒側掛止部を調節ステー１８により構成し、外筒２の外周面に高さ方向に関して摺動・掛止自在に嵌装したことを特徴とするスプリンクラー。
【請求項２】
地面に固定され、送水パイプと連通される外筒２と、該外筒２に摺動自在に嵌装された内筒３からなり、送水パイプから圧力が掛かることにより内筒３が所定高さまで上昇し、該内筒３の上端に配設されたノズル１１により散水を行うスプリンクラー１において、該スプリンクラー１の高さ調節機構は、内筒３の上端に配設された上部ステー１３と、該上部ステー１３より内筒３の摺動方向下方に突設され調節ロッド１４と、前記外筒２の外周面に配設された外筒側掛止部により構成され、前記調節ロッド１４の下方が、前記外筒側掛止部の掛止孔２１に摺動可能に貫装され、該調節ロッド１４の下端にロッド掛止部である掛止体１９を設け、前記掛止体１９は、該調節ロッド１４の中途部に、高さ方向に関して摺動・掛止自在に嵌装したことを特徴とするスプリンクラー。
【発明の詳細な説明】
【０００１】
【発明の属する技術分野】
本発明は、送水圧により本体が高さ方向に伸張して散水を行うスプリンクラーの高さ調整機構の技術に関する。
【０００２】
【従来の技術】
従来から、摺動可能に嵌装された外筒と内筒の二本の異径筒からなる本体が、送水圧により高さ方向に摺動・伸張して散水を行うスプリンクラーの技術は公知となっている。例えば、実開平６−７０８４６号公報や特開平６−２７７５６６公報に記載の如くである。
これらはゴルフ場等において、ゴルフのプレーに支障がないように地中に埋設され、散水時のみ送水圧でスプリンクラー本体が伸張してノズル部分が地上に表出し、散水を行うものである。地上埋設型のスプリンクラーの場合、その伸張ストロークは小さく、最も伸張した状態で散水を行うため、特に伸張高さ調整機構は設けられていなかった。
一方、本体が常時地上に表出した（または埋設した）状態で配設され、送水時には更に高さ方向に伸張して散水作業を行うスプリンクラーにおいては、伸張ストロークが大きい場合、伸張ストロークによって本体上端に配設されたノズルの地上高も大きく変化し、結果として散水距離が大きく変化する。従って、使用状況に適した散水距離となるよう伸張ストローク（高さ）を調節する機構が設けられていた。
【０００３】
【発明が解決しようとする課題】
従来のスプリンクラーは、本体を構成する外筒と内筒を鎖等で連結し、該鎖の長さを調整することにより散水時のスプリンクラーの高さを調整していた。しかし、送水圧の脈動によりスプリンクラーが上下に振動するため鎖から発生する音が大きいことや、散水方向を一定にするために高さ方向に摺動する内筒が外筒に対して軸中心に回転しないように、外筒の内周面に摺動方向にガイドを設け、内筒の外周面の摺動方向に該ガイドを嵌合する溝を形成するなど、製造コストの高い複雑な回り止め機構を配設する必要があった。
【０００４】
【課題を解決するための手段】
本発明の解決しようとする課題は以上の如くであり、次にこの課題を解決するための手段を説明する。
【０００５】
請求項１においては、地面に固定され、送水パイプと連通される外筒２と、該外筒２に摺動自在に嵌装された内筒３からなり、送水パイプから圧力が掛かることにより内筒３が所定高さまで上昇し、該内筒３の上端に配設されたノズル１１により散水を行うスプリンクラー１において、該スプリンクラー１の高さ調節機構は、内筒３の上端に配設された上部ステー１３と、該上部ステー１３より内筒３の摺動方向下方に突設され調節ロッド１４と、前記外筒２の外周面に配設された外筒側掛止部により構成され、前記調節ロッド１４の下方が、前記外筒側掛止部の掛止孔２１に摺動可能に貫装され、該調節ロッド１４の下端にロッド掛止部である掛止体１９を設け、前記外筒側掛止部を調節ステー１８により構成し、外筒２の外周面に高さ方向に関して摺動・掛止自在に嵌装したものである。
【０００６】
請求項２においては、地面に固定され、送水パイプと連通される外筒２と、該外筒２に摺動自在に嵌装された内筒３からなり、送水パイプから圧力が掛かることにより内筒３が所定高さまで上昇し、該内筒３の上端に配設されたノズル１１により散水を行うスプリンクラー１において、該スプリンクラー１の高さ調節機構は、内筒３の上端に配設された上部ステー１３と、該上部ステー１３より内筒３の摺動方向下方に突設され調節ロッド１４と、前記外筒２の外周面に配設された外筒側掛止部により構成され、前記調節ロッド１４の下方が、前記外筒側掛止部の掛止孔２１に摺動可能に貫装され、該調節ロッド１４の下端にロッド掛止部である掛止体１９を設け、前記掛止体１９は、該調節ロッド１４の中途部に、高さ方向に関して摺動・掛止自在に嵌装したものである。
【０００７】
【発明の実施の形態】
次に、発明の実施の形態を説明する。
図１は本発明のスプリンクラーの第一実施例を示す斜視図、図２は本発明のスプリンクラーの第一実施例を示す断面図、図３は本発明のスプリンクラーの第二実施例を示す斜視図、図４は従来のスプリンクラーを示す断面図である。
【０００８】
本発明のスプリンクラー１の全体構成について、図１および図２を用いて説明する。
スプリンクラー１の本体は外筒２と内筒３からなり、内筒３の下端部にはガイド４が外嵌され、ガイド４の外周面は外筒２の内周面に当接して、外筒２に対して摺動自在に嵌装される。外筒２の上端には外筒ソケット５の下部が外嵌され、この部位より水が漏れない構成となっている。また外筒ソケット５の内周面のうち、上部は雌螺子になっている。パッキンケース６は内周面にパッキン７を収納する溝が穿設され、該パッキン７が内筒３の外周面に摺動自在に当接するとともに、該当接部において水が漏れない構成となっている。
また、パッキンケース６の外周面は雄螺子になっており、外筒ソケット５に螺設される。外筒ソケット５とパッキンケース６の螺設部上端には水が漏れないようにＯリング８が配設され、カバー９がＯリング８を下方に押し付けつつ嵌設される。内筒３の上端部には、内筒ソケット１０が螺設される。また内筒ソケット１０の上端には、さらにノズル１１が配設される。このノズル１１は散水時に回転・往復運動機構をもつものや複数のノズルを有するものなど使用状況に応じて適宜選択可能であり、ノズル１１の形式は限定されない。内筒ソケット１０の下端には、弾性材料からなるクッションパッキン５０が嵌設され、送水終了後、内筒３が下降したときに内筒ソケット１０とカバー９が衝突する衝撃を緩和する。
【０００９】
次に、本発明の要部である高さ調節機構１２について説明する。
高さ調節機構１２は、上部ステー１３、調節ロッド１４、中間部ステー１７、調節ステー１８、ロッド側掛止体１９等からなる。上部ステー１３は内筒ソケット１０より側方に突設され、その先端部に調節ロッド１４がナット１５・１５および座金１６・１６により固定される。
なお、該ナット１５を弛めることで位置調節が可能である。該調節ロッド１４は、ネジ杆にて構成され、上部ステー１３から内筒３の摺動方向に平行、かつ下向きに突出しており、外筒ソケット５より側方に突設された中間部ステー１７のガイド孔２０に摺動自在に貫装されている。
なお、場合によっては中間部ステー１７を省略した構成としても使用上問題がない。外筒側掛止部である調節ステー１８は、掛止孔２１に調節ロッド１４を摺動可能に貫装するとともに、固定孔２２に外筒２を貫装する。固定孔２２の内径は外筒２の外径と略同じ大きさであり、固定孔２２の一部は切欠き部２３となっている。該切欠き部２３には該切欠き部２３の両端を貫通して固定ボルト２４が配設され、該固定ボルト２４を締め付けることにより固定孔２２の内径が小さくなり、調節ステー１８を外筒２の任意の高さに固定可能としている。
また、固定ボルト２４の頭部には、該固定ボルト２４の軸に垂直な方向に孔が設けられ、その孔に回転ピン２５が貫装されている。この回転ピン２５を手で握って回転させることにより、道具を使わずに調節ステー１８を固定および摺動させることが可能である。
なお、調節ステー１８の構造は本実施例に限定されるものではなく、外筒２に掛止・摺動可能な構造を有しておれば同様の効果を奏する。ロッド掛止部である掛止体１９は、ナット等により構成して調節ロッド１４の下端部に位置調整可能に螺装される。掛止体１９の上端にはゴム等の弾性材料からなる緩衝体２６が配設される。連結部２７は外筒２の下端部に嵌設され、地中に埋設、あるいは地上に表出した送水パイプ（図示せず）と連結して、水をスプリンクラー１内部に導入する。
なお、本実施例では連結部２７をスプリンクラー１の下端に配置する構成としたが、スプリンクラー１の下端を閉塞し、外筒２の側面にフランジを設け、該フランジに連結部２７を配設したり、あるいは埋設作業を容易にするために閉塞したスプリンクラー１の下端を尖った形状としてもよい。
【００１０】
このように構成することにより、送水パイプから水が送水され、スプリンクラー１内に流入すると、その送水圧によりスプリンクラー１内部の圧力は上昇し、これを緩和すべくスプリンクラー１はその容積を大きくしようとする。すなわち、内筒３が摺動・上昇してスプリンクラー１が伸張する。このとき、内筒３に連動して調節ステー１４も上昇するが、掛止体１９が調節ステー１８の下面に当接すると、調節ステー１４はそれ以上上昇することができないので、内筒３もそれ以上上昇できず、送水圧で掛止体１９は調節ステー１８下面に押し付けられたままの状態となる。
結果として、スプリンクラー１の散水時における伸張ストロークは、図２中のＬで表される長さとなる。さらに掛止体１９上端には緩衝体２６が設けられているので、送水圧に脈動が起こり、スプリンクラー１が高さ方向に振動しても該緩衝体２０により衝撃が吸収され、音を発生させることがない。
また、高さ調節機構１２は固定ボルト２４を弛めて調節ステー１８を外筒２に沿って上下方向に位置調節し、スプリンクラー１の散水高さを決めて固定ボルト２４を締め付けることにより散水高さを設定することができる。
また、ナット１５または掛止体１９の位置を変更することによっても散水高さを調節することができる。そして、高さ調節機構１２は内筒３の摺動方向にのみ動作する構成となっているため、内筒３も外筒２に対して軸中心に回転できず、摺動方向にのみ動作する。このことはパッキン７への負担を軽減し、水漏れに対する耐久性を向上させる。
なお、中間部ステー１７と調節ステー１８の間または、上部ステー１３と中間部ステー１７の間の調節ロッド１４上にナットを螺装固定して、スプリンクラー１の下降位置を設定することもできる。
【００１１】
一方、図３に示すように、調節ステー２８を溶接等の方法で外筒２に固定し、調節ロッド２９に孔３０・３０・・・・・・を穿設して、掛止体３１と孔３０を貫通するピン３２で調節ステー２８の任意の位置に掛止体３１を掛止・摺動させることによっても、図１の第一実施例と同様の効果を奏する。なお、掛止体３１の掛止方法は本実施例に限定されるものではなく、調節ステー２８の任意の位置に掛止・摺動させる機構を有しておれば同様の効果を奏する。
【００１２】
従来のスプリンクラー３３の全体構成について、図４を用いて説明する。
スプリンクラー３３の本体は外筒３４と内筒３５からなり、内筒３５の下端部にはガイド３６が外嵌され、ガイド３６の外周面は外筒３４の内周面に当接して、外筒３４に対して摺動自在に嵌装される。外筒３４の上端には外筒ソケット３７の下部が外嵌され、この部位より水が漏れない構成となっている。また外筒ソケット３７の内周面のうち、上部は雌螺子になっている。パッキンケース３８は本発明のパッキンケース６とカバー９を一体化した形状をしており、内周面にパッキン３９を収納する溝が穿設され、該パッキン３９が内筒３５の外周面に摺動自在に当接するとともに、該当接部において水が漏れない構成となっている。またパッキンケース３８の外周面は雄螺子になっており、外筒ソケット３７に螺設される。外筒ソケット３７とパッキンケース３８の螺設部上端には水が漏れないようにＯリング４０が配設され、パッキンケース３８の上部がＯリング４０を下方に押し付ける構成となっている。内筒３５の上端部には内筒ソケット４１が螺設される。また内筒ソケット４１の上端にはさらにノズル１１が配設される。内筒ソケット４１の下端には弾性材料からなるクッションパッキン５１が嵌設され、送水終了後、内筒３５が下降したときに内筒ソケット４１とパッキンケース３８が衝突する衝撃を緩和する。
【００１３】
次に、従来のスプリンクラー３３の高さ調節機構４２について説明する。
高さ調節機構４２は上部ステー４３、下部ステー４４、シャックル４５ａ、シャックル４５ｂ、チェーン４６、止めピン４７、止め輪４８等からなる。上部ステー４３は内筒ソケット４１より側方に突設され、シャックル４５ａを連結するための孔が設けられている。下部ステー４４は外筒ソケット３７より側方に突設され、シャックル４５ｂを連結するための孔が設けられている。チェーン４６はシャックル４５ａおよびシャックル４５ｂと繋がれる。送水時は該チェーン４６により内筒３５の上昇量が規制され、スプリンクラー３３の高さが決まる。スプリンクラー３３の高さを調節するときは止め輪４８の付いた止めピン４７を外し、シャックル４５ｂをチェーン４６の所定の位置に通した後下部ステー４４に通し、止めピン４７を取り付ける。
なお、止め輪４８には紐等の一端を結んでおき、他端側を外筒３４に結んでおけば紛失防止になる。また調節ネジ５２によっても内筒ソケット４１の高さを微調整できる。
【００１４】
このような構成とすると、本発明のスプリンクラー１と比較して、以下のような相違がある。
すなわち従来のスプリンクラー３３の場合、高さ調節機構４２にチェーン４６を用いるため、送水圧の脈動により内筒３５が上下振動したときの音の発生が大きい。また音の発生を簡便な方法で抑制するのも困難である。
一方、本発明のスプリンクラー１では内筒３の上下振動で金属等からなる部品同士が衝突を繰り返す可能性のある部位は掛止体１９上端と調整ステー１８下面のみであり、該部位には緩衝体２６を配設することにより容易に音の発生を抑えることができる。
また、従来のスプリンクラー３３の場合、内筒３５の回転を防止するため、図４に示すように外筒３４の内周面に摺動ガイド４９を設け、該摺動ガイド４９と同形状の溝をガイド３６に設ける必要があった。この加工は外筒３４の内部で溶接するなど煩雑であった。
これに対して、本発明のスプリンクラー１では高さ調整機構１２それ自体が内筒３の回転防止機能も有しており、組立・加工コストを軽減できる。
【００１５】
【発明の効果】
本発明は、以上のように構成したので、以下に示すような効果を奏する。
【００１６】
即ち、請求項１に示す如く、地面に固定され、送水パイプと連通される外筒２と、該外筒２に摺動自在に嵌装された内筒３からなり、送水パイプから圧力が掛かることにより内筒３が所定高さまで上昇し、該内筒３の上端に配設されたノズル１１により散水を行うスプリンクラー１において、該スプリンクラー１の高さ調節機構は、内筒３の上端に配設された上部ステー１３と、該上部ステー１３より内筒３の摺動方向下方に突設され調節ロッド１４と、前記外筒２の外周面に配設された外筒側掛止部により構成され、前記調節ロッド１４の下方が、前記外筒側掛止部の掛止孔２１に摺動可能に貫装され、該調節ロッド１４の下端にロッド掛止部である掛止体１９を設け、前記外筒側掛止部を調節ステー１８により構成し、外筒２の外周面に高さ方向に関して摺動・掛止自在に嵌装したので、高さ調節機構で発生する音を抑制するのが容易であり、また高さ調節機構が内筒の回転防止機能を兼ねているため、複雑な加工を必要とする従来の回転防止機構を省略し、コスト軽減が可能である。
【００１７】
請求項２に示す如く、地面に固定され、送水パイプと連通される外筒２と、該外筒２に摺動自在に嵌装された内筒３からなり、送水パイプから圧力が掛かることにより内筒３が所定高さまで上昇し、該内筒３の上端に配設されたノズル１１により散水を行うスプリンクラー１において、該スプリンクラー１の高さ調節機構は、内筒３の上端に配設された上部ステー１３と、該上部ステー１３より内筒３の摺動方向下方に突設され調節ロッド１４と、前記外筒２の外周面に配設された外筒側掛止部により構成され、前記調節ロッド１４の下方が、前記外筒側掛止部の掛止孔２１に摺動可能に貫装され、該調節ロッド１４の下端にロッド掛止部である掛止体１９を設け、前記掛止体１９は、該調節ロッド１４の中途部に、高さ方向に関して摺動・掛止自在に嵌装したので、高さ調節機構で発生する音を抑制するのが容易であり、また高さ調節機構が内筒の回転防止機能を兼ねているため、複雑な加工を必要とする従来の回転防止機構を省略し、コスト軽減が可能である。
【図面の簡単な説明】
【図１】  本発明のスプリンクラーの第一実施例を示す斜視図。
【図２】  本発明のスプリンクラーの第一実施例を示す断面図。
【図３】  本発明のスプリンクラーの第二実施例を示す斜視図。
【図４】  従来のスプリンクラーを示す断面図。
【符号の説明】
１  スプリンクラー
２  外筒
３  内筒
１１  ノズル
１２  高さ調節機構
１３  上部ステー
１４  調節ロッド
１７  中間部ステー
１８  調節ステー
１９  掛止体
２８  調節ステー
２９  調節ロッド
３１  掛止体
【図１】
0003803917.tif 000002
【図２】
0003803917.tif 000003
【図３】
0003803917.tif 000004
【図４】
0003803917.tif 000005